(57)【要約】  【課題】凝縮器等を備えた高性能の冷風発生装置を要さず、柩内の水分を効率良く除去することができるとともに除湿能力に優れ、水分による遺体の変性を抑制し遺体を長期間安置できる柩を提供することを目的とする。  【解決手段】本発明は、蓋によって内部が外部と遮断される柩本体と、前記柩本体の側面部に形成され外部から供給される冷風を取り込む冷風供給孔と、前記柩本体の内部に形成された中空の除湿室と、前記除湿室の所定部に形成され前記柩本体内を冷却した前記冷風を前記除湿室に導入する除湿室導入孔と、前記柩本体の側面部に形成され前記除湿室導入孔から前記除湿室に導入された前記冷風を前記柩本体の外部に排出する冷風排出孔と、を備える。  【選択図】図１
2005152320.tif 000002
【特許請求の範囲】
【請求項１】
蓋によって内部が外部と遮断される柩本体と、前記柩本体の側面部に形成され外部から供給される冷風を取り込む冷風供給孔と、前記柩本体の内部に形成された中空の除湿室と、前記除湿室の所定部に形成され前記柩本体内を冷却した前記冷風を前記除湿室に導入する除湿室導入孔と、前記柩本体の側面部に形成され前記除湿室導入孔から前記除湿室に導入された前記冷風を前記柩本体の外部に排出する冷風排出孔と、を備えていることを特徴とする柩。
【請求項２】
前記除湿室内に吸湿性を有する除湿体が配設されていることを特徴とする請求項１に記載の柩。
【請求項３】
前記除湿室が、前記柩本体の長辺側及び／又は短辺側の側面部に沿って前記側面部と所定間隔をあけて配設された仕切体で前記柩本体を区画して形成されていることを特徴とする請求項１又は２に記載の柩。
【請求項４】
前記冷風供給孔と連通して前記柩本体内に配設された冷風管を備えていることを特徴とする請求項１乃至３の内いずれか１に記載の柩。
【請求項５】
前記除湿室及び／又は前記冷風管を覆設するシート状体が配設されていることを特徴とする請求項１乃至４の内いずれか１に記載の柩。
【請求項６】
前記冷風供給孔及び前記冷風排出孔を閉止する閉止手段を備えていることを特徴とする請求項１乃至５の内いずれか１に記載の柩。
【請求項７】
前記除湿室内、前記柩本体内の前記側面部、前記柩本体の底部の内のいずれか１以上が、吸着剤が配置される吸着剤配置部を備えていることを特徴とする請求項１乃至６の内いずれか１に記載の柩。
【発明の詳細な説明】
【技術分野】
【０００１】
本発明は、斎場や家庭の祭壇、病院の遺体安置室等で用いられる柩に関するものである。
【背景技術】
【０００２】
一般に、故人の遺体は、死亡した当日又はその翌日に柩内に安置される。そして、１日乃至数日後に葬儀、告別式が執り行われて、柩ごと焼却されて火葬にふされる。このように遺体は、納柩から火葬にふされるまでの長期間にわたり柩内に納められる。しかし、特に夏季等では遺体が腐敗し易く、死臭等種々の悪臭を放って不快感を与えることがある。このような悪臭の発生を防ぐために、ドライアイス，保冷剤等を遺体の傍に置いたり冷風発生装置を柩に接続したりして、柩内を冷却することが行われている。また、脱臭剤を柩内に入れて発生した悪臭を吸収させることも行われている。
しかし、冷風発生装置を柩に接続した場合、冷風発生装置から供給された冷風が柩内で断熱膨張することにより冷風の温度が低下し冷風中に含まれる水蒸気の凝結や、遺体から発生するガスに含まれる水蒸気によって柩内に水分が発生し、この水分によって遺体の変性が促進され悪臭や異臭が発生するという問題点を有していた。
このような問題点を解決するために、柩と冷風発生装置の間を循環する空気中に含まれる水分を除去する技術が開発されている。
【０００３】
例えば、（特許文献１）に「吸気管の所定部に柩内から排出される空気中の水分を凝縮させて除去する凝縮器を備えた柩冷却機構」が開示されている。
【０００４】
（特許文献２）に「柩の一側に形成された冷気供給口と、冷気供給口に連通する多数の冷気噴出孔が形成され段ボール、厚紙、薄板状木材等の吸湿性を有する吸湿性部材で中空に形成された冷気供給部材と、柩の他側に形成された冷気排気口と、冷気供給口と冷気排気口に接続された冷却機と、を備えた柩冷却装置」が開示されている。
【特許文献１】特開２００１−６１９１１号公報
【特許文献２】特開平１０−５７４３０号公報
【発明の開示】
【発明が解決しようとする課題】
【０００５】
しかしながら上記従来の技術においては、以下のような課題を有していた。
（１）（特許文献１）に開示の技術は、水蒸気を凝結させて空気中から除去する凝縮器等を備えた高性能な冷風発生装置を要するという課題を有していた。
（２）（特許文献２）に開示の技術は、下面板に形成された冷気供給口から冷風が供給され、吸湿性を有する部材からなる冷気供給部材に形成された冷気噴出孔から冷風が遺体に噴射され、下面板に形成された冷気排出口から冷風が排出されるので、遺体から発生したガスが外気で暖められて柩体の上部に滞留し易く、上部に滞留したガスが下部から供給された冷風で冷されてガスに含まれる水蒸気が柩内で結露し易いという課題を有していた。
（３）吸湿性を有する部材からなる冷気供給部材に形成された冷気噴出孔から冷風が遺体に噴射されるので、冷気供給部材は遺体から発生したガスに含まれる水蒸気を吸収し難く柩内の水分の除去効率が低いという課題を有していた。
（４）吸湿性部材が段ボール、厚紙、薄板状木材等からなるので、吸湿性が低く柩内の水分を除去し難いという課題を有していた。
【０００６】
本発明は上記従来の課題を解決するもので、凝縮器等を備えた高性能の冷風発生装置を要さず、柩内の水分を効率良く除去することができるとともに除湿能力に優れ、水分による遺体の変性を抑制し遺体を長期間安置できる柩を提供することを目的とする。
【課題を解決するための手段】
【０００７】
上記従来の課題を解決するために本発明の柩は、以下の構成を有している。
本発明の請求項１に記載の柩は、蓋によって内部が外部と遮断される柩本体と、前記柩本体の側面部に形成され外部から供給される冷風を取り込む冷風供給孔と、前記柩本体の内部に形成された中空の除湿室と、前記除湿室の所定部に形成され前記柩本体内を冷却した前記冷風を前記除湿室に導入する除湿室導入孔と、前記柩本体の側面部に形成され前記除湿室導入孔から前記除湿室に導入された前記冷風を前記柩本体の外部に排出する冷風排出孔と、を備えた構成を有している。
この構成により、以下のような作用が得られる。
（１）柩本体の側面部に形成された冷風供給孔と除湿室の所定部に形成された除湿室導入孔とを有しているので、冷風供給孔から除湿室導入孔に流れる冷風がショートパスを起こし難く、また柩内で滞留し難いので、遺体から発生するガス等に含まれる水蒸気を除湿室内に導いて除湿室内に配設される除湿体で柩内の水分を効率良く除去することができる。
（２）水蒸気を凝結させて除去する凝縮器等の機能を有する冷風発生装置を用いなくても、簡易冷風発生器等の安価で簡易的な冷風発生装置を冷風供給孔と冷風排出孔に接続するだけで、柩内に配設される除湿体で水分を除去することができる。
（３）遺体から発生する臭気の一部は柩内を循環する空気中に含まれる水分に溶解するので、水分を除去することによって柩内の臭気を減少させることができる。
【０００８】
ここで、柩本体としては、木材、硬質紙、段ボール紙、可燃性合成樹脂、植物繊維質等のいずれか１種、又はこれらの材料の組合せによって、箱状等に形成されたものが用いられる。特に、トウモロコシ，ヤシ，竹等の植物を解砕して得られる植物繊維質をバインダを用いて形成したものは、軽量にすることができるとともに燃焼性に優れ、さらに柩内の臭気や湿気等を吸収したり芳香を放つ効果を付与することができる。
【０００９】
除湿室としては、木材、硬質紙、段ボール紙、可燃性合成樹脂、植物繊維質等のいずれか１種、又はこれらの材料の組合せによって、柩本体を区画するように形成されたものが用いられる。植物繊維質等を用いて柩本体と一体に形成したり、柩本体と別に形成して柩本体の底部や側面部に固着して形成することができる。
【００１０】
除湿室導入孔としては、柩本体の底部や側面部に形成された冷風供給孔と離間して除湿室の所定部に形成されたものが用いられる。冷風供給孔から柩本体に供給された冷風を柩本体の全体に循環して、柩本体に安置された遺体や副葬品を効率良く冷却するとともに、空気が柩内で滞留するのを防止して柩内の水分を効率良く除去するためである。
特に、除湿室導入孔は、除湿室の上部側に形成するのが好ましい。柩内に供給された新たな冷風を柩内の下部に順に堆積させて、遺体から発生したガス等を除湿室の上部側に形成された除湿室導入孔から排出するためである。
【００１１】
冷風排出孔としては、除湿室と連通して柩本体の側面部に形成されたものが用いられる。冷風排出孔は、除湿室導入孔と離間して形成されるのが好ましい。除湿室導入孔から除湿室に供給された冷風を除湿室の全体に循環して冷風排出孔から柩の外に排出することにより、空気が除湿室内で滞留するのを防止して水分を効率良く除去するためである。
【００１２】
冷風供給孔としては、柩本体の長辺側若しくは短辺側の側面部の上部側若しくは下部側に形成するのが好ましい。冷風供給孔を側面部の上部側に形成すると、供給された新たな冷風は柩本体の下部に堆積し易いので、柩本体の上部側から冷風を供給して冷風の循環効率を高めることができる。また、冷風供給孔を側面部の下部側に形成すると遺体を覆う布団の胸元から出てくるガスや臭気等を効率よく除湿室に導くことができ好ましい。
【００１３】
冷風供給孔、冷風排出孔、除湿室導入孔の数、配置、形状、大きさ等は、必要に応じて適宜調整することができる。例えば、冷風供給孔や冷風排出孔等の数や大きさを異ならせて配置したり、柩本体内の空気の流れが均一化できるように各々の位置を設定することができる。
また、２重管等で冷風排出孔と冷風供給孔とを形成して、冷風供給孔の周囲に冷風排出孔を配設することもできる。これにより、冷風発生装置に接続された冷風供給管と冷風排出管を２重管で形成することにより、冷風排出孔と冷風排出管との接続、冷風供給孔と冷風供給管との接続を別々に行わなくても、１回の接続動作で冷風排出孔及び冷風供給孔と冷風供給管及び冷風排出管との接続を行うことができ、作業性に優れる。
なお、柩本体は、冷風発生装置からの冷風に加え、柩本体内にドライアイスを配設して冷却することができる。
【００１４】
本発明の請求項２に記載の発明は、請求項１に記載の柩であって、前記除湿室内に吸湿性を有する除湿体が配設された構成を有している。
この構成により、請求項１に記載の作用に加え、以下のような作用が得られる。
（１）除湿室内に除湿体が配設されているので、除湿能力に優れる。
【００１５】
ここで、除湿体としては、吸湿性を有する塩化カルシウム、硫酸カルシウム、シリカゲル、吸湿性高分子等を用いることができる。また、吸着性を有する活性炭や骨炭等の脱臭剤を混合して用いると、柩内の臭気を吸着して脱臭することができ好ましい。なお、通気性を有する不織布等で形成された袋状体等に入れて用いると取扱を容易にすることができ好ましい。
【００１６】
本発明の請求項３に記載の発明は、請求項１又は２に記載の柩であって、前記除湿室が、前記柩本体の長辺側及び／又は短辺側の側面部に沿って前記側面部と所定間隔をあけて配設された仕切体で前記柩本体を区画して形成された構成を有している。
この構成により、請求項１又は２で得られる作用に加え、以下のような作用が得られる。
（１）仕切体を配設するだけの簡単な構成なので、容易に製造することができ生産性に優れる。
（２）仕切体が側面部に沿って側面部と所定間隔をあけて配設されているので、仕切体と側面部との間に隙間が形成され除湿室の上部が開口しているので、除湿体を柩本体の側面部と仕切体の間に落とし込んで容易に配設することができ生産性に優れる。
（３）仕切体が柩本体の長辺側や短辺側の側面部に沿って形成されているので、柩本体内に遺体を安置するスペースを十分に確保することができる。
【００１７】
ここで、仕切体としては、平板状や縁部を屈曲等して板状や箱状等に形成したが用いられる。平板状のものは柩本体の底部に立設させて用いることができ、縁部が屈曲したものは柩本体の側面部に屈曲した縁部を固設して用いることができる。
仕切体は、上端部が柩本体の側面部の上端部と略同一の高さに形成されて、柩本体に蓋を被せることによって蓋と仕切体の上端部が密接し除湿室を密閉することができるように形成したものが好適に用いられる。蓋に特別な加工を加えることなく、除湿室導入孔から除湿室に導入された冷風が蓋と仕切体の上端部との隙間から漏洩しないようにするためである。なお、仕切体の上端部を柩本体の側面部の上端部よりも低く又は高く形成して、蓋に仕切体の上端部に当接する突条部又は凹状部を形成してもよい。これによっても蓋と仕切体の上端部との隙間をなくし冷風が漏洩するのを防止することができる。
また、除湿室を密封するために、蓋が仕切体の上端部に当接するように形成する代わりに、仕切体の上端部を閉塞して除湿室を密封する除湿室蓋部を、蓋とは別に設けることもできる。これにより、仕切体の上端部までの高さや蓋と仕切体の上端部との間隔等を考慮せず、自由に仕切体や蓋の設計を行うことができ自在性に優れる。
【００１８】
なお、冷風供給孔が形成された側面部と仕切体との間で除湿室を形成している場合には、仕切体の所定部に冷風導入孔を形成し、冷風導入孔と冷風供給孔とを除湿室を貫通する冷風供給管で接続する。冷風を除湿室内に供給することなく柩本体内に供給し、柩本体内に収納された遺体を冷却するためである。なお、冷風供給管を用いずに、冷風発生装置に接続された冷風を柩に供給する冷風供給管を、柩本体の側面部に形成された冷風供給孔に貫通させるとともに仕切体に形成された冷風導入孔に接続し、冷風を柩本体内に供給することもできる。
【００１９】
本発明の請求項４に記載の発明は、請求項１乃至３の内いずれか１に記載の柩であって、前記冷風供給孔と連通して前記柩本体内に配設された冷風管を備えた構成を有している。
この構成により、請求項１乃至３の内いずれか１で得られる作用に加え、以下のような作用が得られる。
（１）冷風管を用いることにより冷風供給孔から供給された冷風を柩本体内の任意の場所から自由に発生させることができるので、冷風供給孔は柩本体の側面部の目立たないところに形成すればよく、冷風供給孔を目立たせず参列者等に違和感を与えることなく葬儀等にふさわしい雰囲気を維持することができる。
（２）冷風管を用いて任意の場所から冷風を発生させることができるので、例えば冷風管を遺体を覆う布団の中に導入して遺体の脚部の方から冷風を供給するようにすると、布団に覆われた遺体を効率良く冷却することができるとともに布団の胸元から水分や臭気を排出し易く、冷風の循環効率を高め冷却効率を高めることができる。
（３）複数の冷風管を用いたり冷風管を分岐したりすること等によって冷風を複数箇所から発生させることができるので、例えば柩本体の上部側と下部側に冷風を供給することによって、上部側から供給された冷風が柩本体の下部に堆積していくことで冷風の循環効率を高め、下部側から供給された冷風が布団に覆われた遺体を布団内で効率良く冷却し冷却効率を高めることができる。
【００２０】
ここで、冷風管としては、可燃性の合成樹脂製等で撓曲したり折り曲げ自在に形成されたフレキシブル管が好適に用いられる。遺体の状態等に応じて最適な場所に冷風を供給するようにするためである。なかでも、塩素を含有しないポリプロピレン製等の可燃性合成樹脂製で形成されたものが好適に用いられる。柩の焼却時にダイオキシン類が発生するおそれがなく環境保全性に優れるからである。
冷風管は冷風供給孔と連通して冷風を柩本体内に導くものなので、柩本体の側面部に形成された冷風供給孔に直接接続してもよいし、除湿室や仕切体に配設若しくは形成された冷風供給管や冷風導入孔に接続して冷風供給孔と連通するようにしてもよい。
【００２１】
請求項５に記載の発明は、請求項１乃至４の内いずれか１に記載の柩であって、前記除湿室及び／又は前記冷風管を覆設するシート状体が配設された構成を有している。
この構成により、請求項１乃至４の内いずれか１で得られる作用に加え、以下のような作用が得られる。
（１）除湿室や冷風管を覆設するシート状体が配設されているので、参列者等に違和感を与えることなく葬儀等にふさわしい雰囲気を維持することができる。
【００２２】
ここで、シート状体としては、可燃性合成樹脂製繊維や天然繊維等で形成された織布，不織布等の布、可燃性合成樹脂製のフィルムやシート等で形成されたものが用いられる。
シート状体が除湿室導入孔や冷風供給孔等を塞いで冷風の循環を妨げないようにするために、除湿室導入孔や冷風供給孔等の位置に相当するシート状体の所定部を通気性の高い不織布やガーゼ等で形成したり、除湿室導入孔や冷風供給孔等の周囲にスペーサー等を突設して除湿室導入孔や冷風供給孔等とシート状体との間に隙間を設けると好ましい。冷風供給孔に冷風管を連通させた場合は、シート状体の通気性を考慮しなくてもよい。
【００２３】
本発明の請求項６に記載の発明は、請求項１乃至５の内いずれか１に記載の柩であって、前記冷風供給孔及び前記冷風排出孔を閉止する閉止手段を備えた構成を有している。
この構成により、請求項１乃至５の内いずれか１で得られる作用に加え、以下のような作用が得られる。
（１）閉止手段を有しているので、柩を斎場等から移動させるときには冷風供給孔及び冷風排出孔を閉止して柩内の臭気が外部に漏洩するのを防止することができる。
【００２４】
ここで、閉止手段としては、冷風供給孔及び冷風排出孔に嵌着若しくは螺着するコルク等の木製、ゴム製、紙製、合成樹脂製等で形成されて冷風供給孔や冷風排出孔を密閉する蓋部等が用いられる。
【００２５】
本発明の請求項７に記載の発明は、請求項１乃至６の内のいずれか１に記載の柩であって、前記除湿室内、前記柩本体内の前記側面部、前記柩本体の底部の内のいずれか１以上が、吸着剤が配置される吸着剤配置部を備えた構成を有している。
この構成により、請求項１乃至６の内いずれか１で得られる作用に加え、以下のような作用が得られる。
（１）柩ごと焼却されて火葬にふされる際、副葬品に塩化ビニル樹脂等の塩素含有合成樹脂が用いられている場合等にダイオキシン類が発生するおそれがあるが、柩本体内に吸着剤配置部を備えているので、吸着剤を配置することで、柩の焼却時に発生する燃焼排ガス等の中のダイオキシン類を吸着剤が吸着し環境保全性に優れる。
（２）柩本体内に配置された吸着剤が遺体から発生する臭気を吸着し柩内の臭気を減少させることができる。
【００２６】
ここで、吸着剤配置部としては、除湿室内、柩本体内の側面部、柩本体の底部の内のいずれか１以上の所定箇所に配設された開口部を有する箱状体や皿状体、通気性を有する袋状体，籠状体，網状体等が用いられ、吸着剤配置部の上面や内部等に吸着剤が配置される。吸着剤配置部は、柩本体の側面部や底部に配設して、遺体や副葬品が収容される収容室に吸着剤が配置されるようにするのが好ましい。収容室に安置される遺体や副葬品の傍に吸着剤を配置することができるので、ダイオキシン類や臭気が発生する傍らから吸着させることができるからである。
なお、吸着剤が配置された吸着剤配置部を予め柩とは別途に作成し、これを柩の除湿室内、柩本体内の側面部、柩本体の底部の所定部に配設することもできる。
【００２７】
吸着剤としては、ゼオライト，活性炭，木炭，竹炭，モンモリロナイト等の多孔質粘土，多孔質黒鉛，炭素セラミック（例えば、商品名：チャコルトン（共豊エポック社製）等），活性白土，活性アルミナ等の多孔質体が用いられる。これらの吸着剤は、粒状や粉状等に形成するのが好ましい。表面積を大きくして吸着能を高めるためである。
粒状や粉状等に形成された吸着剤は、合成樹脂製繊維や綿等の天然繊維等で形成され織布，編物，不織布等の通気性を有する布状体で袋状に形成されたもの、合成樹脂製等で形成された網状体で袋状に形成されたもの等の通気性を有する袋状体等の吸着剤配置部に収納して用いるのが好ましい。取扱性に優れるからである。なかでも、通気性を有する複数枚の布状体を重ねて所定の形状に区画して複数の袋状体を形成し、袋状体の各々に吸着剤を収納したものが好適に用いられる。薄いシート状に形成することができ、柩本体内に配設した際に占有度を小さくできるからである。
【発明の効果】
【００２８】
以上のように、本発明の柩によれば、以下のような有利な効果が得られる。
請求項１に記載の発明によれば、
（１）柩本体の側面部に形成された冷風供給孔と除湿室の所定部に形成された除湿室導入孔とを有しているので、冷風供給孔から除湿室導入孔に流れる冷風がショートパスを起こし難く、また柩内で滞留し難いので、遺体から発生するガス等に含まれる水蒸気を除湿室内に導いて柩内の水分を効率良く除去することができ遺体の変性を抑制し長期間安置できる柩を提供することができる。
（２）水蒸気を凝結させて除去する凝縮器等の機能を有する冷風発生装置を用いなくても、簡易冷風発生器等の安価で簡易的な冷風発生装置を冷風供給孔と冷風排出孔に接続するだけで、柩内に配設された除湿体で水分を除去することができ汎用性に優れた柩を提供することができる。
（３）遺体から発生する臭気の一部は柩内を循環する空気中に含まれる水分に溶解するので、水分を除去することによって柩内の臭気を減少させることができ快適性に優れた柩を提供することができる。
【００２９】
請求項２に記載の発明によれば、請求項１の効果に加え、
（１）除湿室内に除湿体を有しているので、除湿能力に優れた柩を提供することができる。
【００３０】
請求項３に記載の発明によれば、請求項１又は２の効果に加え、
（１）仕切体を形成するだけの簡単な構成なので、容易に製造することができ生産性に優れた柩を提供することができる。
（２）仕切体が側面部に沿って側面部と所定間隔をあけて配設されているので、仕切体と側面部との間に隙間が形成され除湿室の上部が開口しているので、除湿体を柩本体の側面部と仕切体の間に落とし込んで容易に配設することができ生産性に優れた柩を提供することができる。
（３）仕切体が柩本体の長辺側や短辺側の側面部に沿って形成されているので、柩本体内に遺体を安置するスペースを十分に確保することができ収容性に優れた柩を提供することができる。
【００３１】
請求項４に記載の発明によれば、請求項１乃至３の内いずれか１の効果に加え、
（１）冷風管を用いることにより冷風供給孔から供給された冷風を柩本体内の任意の場所から自由に発生させることができるので、冷風供給孔は柩本体の側面部の目立たないところに形成すればよく、冷風供給孔を目立たせず参列者等に違和感を与えることなく葬儀等にふさわしい雰囲気を維持することができる柩を提供することができる。
（２）冷風管を用いて任意の場所から冷風を発生させることができるので、例えば冷風管を遺体を覆う布団の中に導入して遺体の脚部の方から冷風を供給するようにすると、布団に覆われた遺体を効率良く冷却することができるとともに布団の胸元から水分や臭気を排出し易く、冷風の循環効率を高め冷却効率を高めることができる柩を提供することができる。
（３）複数の冷風管を用いたり冷風管を分岐したりすること等によって冷風を複数箇所から発生させることができるので、例えば柩本体の上部側と下部側に冷風を供給することによって、上部側から供給された冷風が柩本体の下部に堆積していくことで冷風の循環効率を高め、下部側から供給された冷風が布団に覆われた遺体を布団内で効率良く冷却し冷却効率を高めることができる柩を提供することができる。
【００３２】
請求項５に記載の発明によれば、請求項１乃至４の内いずれか１の効果に加え、
（１）除湿室や冷風管を覆設するシート状体が配設されているので、参列者等に違和感を与えることなく葬儀等にふさわしい雰囲気を維持することができる柩を提供することができる。
【００３３】
請求項６に記載の発明によれば、請求項１乃至５の内いずれか１の効果に加え、
（１）閉止手段を有しているので、柩を斎場等から移動させるときには冷風供給孔及び冷風排出孔を閉止して柩内の臭気が外部に漏洩するのを防止することができ快適性に優れた柩を提供することができる。
【００３４】
請求項７に記載の発明によれば、請求項１乃至６の内いずれか１の効果に加え、
（１）柩ごと焼却されて火葬にふされる際、副葬品に塩化ビニル樹脂等の塩素含有合成樹脂が用いられている場合等にダイオキシン類が発生するおそれがあるが、柩本体内に吸着剤配置部を備えているので、吸着剤を配置することで、柩の焼却時に発生する燃焼排ガス等の中のダイオキシン類を吸着剤が吸着し環境保全性に優れた柩を提供することができる。
（２）柩本体内に配置された吸着剤が遺体から発生する臭気を吸着し柩内の臭気を減少させることができ快適性に優れた柩を提供することができる。
【発明を実施するための最良の形態】
【００３５】
以下、本発明を実施するための最良の形態を、図面を参照しながら説明する。
（実施の形態１）
図１（ａ）は、実施の形態１における柩の要部平面図であり、図１（ｂ）は図１（ａ）のＡ−Ａ線における要部断面図である。
図中、１は遺体を収納するための実施の形態１における柩、２は木材、硬質紙、段ボール紙、可燃性合成樹脂、植物繊維質等で略直方体状に形成された柩本体、２ａは柩本体２の長辺側の側面部、２ｂは柩本体２の底部、２ｃは柩本体２の短辺側の側面部、３は両端が短辺側の側面部２ｃに密着するように長辺側の側面部２ａに沿って略平行に側面部２ａと所定間隔をあけて底部２ｂに立設され上端部が側面部２ａの上端部と略同一の高さに形成された板状の仕切体、４は仕切体３によって柩本体２が区画されて形成され、仕切体３、側面部２ａ，２ｃ、底部２ｂで囲まれた中空の除湿室、４ａは吸湿性を有する塩化カルシウムやシリカゲル等が通気性を有する袋状体等に収納され除湿室４内を流れる冷風に含まれる水分を除去する除湿体、４ｂは仕切体３によって除湿室４と区画され遺体や副葬品が収容される柩本体２の収容室、５は柩本体２の側面部２ａの上部側に形成され外部から供給される冷風を柩本体２内に取り込む冷風供給孔、６は冷風供給孔５に固着された供給側ジョイント部、６ａは供給側ジョイント部６に嵌着され冷風供給孔５を閉止する合成樹脂製等で形成された閉止手段としての供給側蓋部、７は一端部が冷風供給孔５に接続して除湿室４を貫通し収容室４ｂに連通する冷風供給管、８は仕切体３の一端部近傍の上部側に形成され冷風供給管７の他端部が接続する略円形状に形成された冷風導入孔、９は仕切体３の他端部近傍の上部側と下部側に各々１個ずつ冷風導入孔８と離間して形成され収容室４ｂ内を冷却した冷風を除湿室４内に導入する略円形状に形成された除湿室導入孔、１０は柩本体２の側面部２ａに形成された冷風供給孔５の下部側に形成され除湿室４に導入された冷風を柩本体２の外部に排出する冷風排出孔、１１は冷風排出孔１０に固着された排出側ジョイント部、１１ａは排出側ジョイント部１１に嵌着され冷風排出孔１０を閉止する合成樹脂製等で形成された閉止手段としての排出側蓋部、１２は柩本体２と同材質で形成され柩本体２の開口部を覆うとともに仕切体３の上端部に密接し除湿室４の上部の開口部を塞ぐ蓋である。
なお、実施の形態１においては、除湿室４の開口幅（仕切体３と側面部２ａとの隙間の大きさ）は５〜５０ｍｍ好ましくは１０〜３０ｍｍに形成されている。除湿室４の開口幅が１０ｍｍより薄くなるにつれ除湿体４ａを除湿室４内に配設し難くなるとともに除湿体４ａの量が少なくなり除湿性能が低下する傾向がみられ、３０ｍｍより厚くなるにつれ除湿室４内に収納する除湿体４ａを大量に要するとともに遺体を収納する収容室４ｂが狭くなったり柩本体２が大型化する傾向がみられるため好ましくない。特に、５ｍｍより薄くなるか５０ｍｍより厚くなると、これらの傾向が著しいためいずれも好ましくない。
【００３６】
以上のように構成された実施の形態１の柩について、以下その使用方法を図面を参照しながら説明する。
図２は実施の形態１における柩を冷風発生装置に接続した場合の冷風の流れを模式的に示した平面図である。
１３は内部に取り込んだ空気を冷却して冷風を発生する冷風発生装置、１４は一端が冷風発生装置１３に接続され他端が供給側ジョイント６に接続された冷風供給管、１５は一端が冷風発生装置１３に接続され他端が排出側ジョイント１１に接続された冷風排出管である。なお、冷風排出管１５の吐出口の出口には活性炭等の脱臭剤からなるフィルタ等の脱臭部（図示せず）を配置してもよい。
柩本体２の収容室４ｂに図示しない遺体（遺体の脚部が冷風導入孔８側に、頭部が除湿室導入孔９側に位置するように収納する）が収納された柩１は、病院の遺体安置室、通夜や葬儀が執り行われる斎場や故人の自宅等の祭壇等に設置される。柩１を祭壇等に設置するとともに、祭壇内や祭壇等から離れた屋外等に冷風発生装置１３を設置する。次いで、冷風供給管１４の一端を冷風発生装置１３に接続し、他端を供給側蓋部６ａを外した供給用ジョイント６に接続する。また、冷風排出管１５の一端を冷風発生装置１３に接続し、他端を排出側蓋部１１ａを外した排出用ジョイント１１に接続する。
冷風発生装置１３を駆動すると、冷風が冷風供給管１４、冷風供給孔５、冷風供給管７、冷風導入孔８を通って柩本体２の収容室４ｂに供給され、収容室４ｂに収容された遺体や副葬品を冷却する。遺体等を冷却した冷風は、除湿室導入孔９から除湿室４内に導入される。除湿室４内に導入された冷風は、除湿体４ａの間を通過する間に水分や臭気が除去され、冷風排出孔１０、冷風排出管１５を通って冷風発生装置１３に戻る。柩本体２と冷風発生装置１２を冷風が循環することにより、柩１に収納された遺体等が冷却される。
柩１を斎場等から移動させるときには、冷風供給管１４及び冷風排出管１５を供給側ジョイント６及び排出用ジョイント１１から取り外すとともに、供給側蓋部６ａ及び排出側蓋部１１ａを供給用ジョイント６及び排出用ジョイント１１に嵌着し、冷風供給孔５及び冷風排出孔１０を閉止する。
【００３７】
以上のように、実施の形態１の柩は構成されているので、以下のような作用が得られる。
（１）冷風供給孔５に接続し仕切体３の一端部近傍の上部側に形成された冷風導入孔８と仕切体３の他端部近傍の上部側と下部側に形成された除湿室導入孔９とを有しているので、冷風供給孔５から供給されて遺体を冷却した冷風が下部側に形成された除湿室導入孔９から除湿室４へ導かれ、冷風供給孔５から供給された冷風が上部側に形成された除湿室導入孔９から除湿室４へ導入されるため、冷風がショートパスを起こし難く、また遺体から発生するガス等が柩１内で滞留し難いので、遺体から発生するガス等に含まれる水蒸気を除湿室４内に導いて柩１内の水分を効率良く除去することができる。
（２）水蒸気を凝結させて除去する凝縮器等の機能を有する冷風発生装置を用いなくても、簡易冷風発生器等の安価で簡易的な冷風発生装置を冷風供給孔５と冷風排出孔１０に接続するだけで、柩１内に配設された除湿体４ａで水分を除去することができる。
（３）除湿室４内に除湿体４ａを有しているので、除湿能力に優れる。
（４）遺体から発生する臭気の一部は柩１内を循環する空気中に含まれる水分に溶解するので、水分を除去することによって柩１内の臭気を減少させることができる。
（５）仕切体３を形成するだけの簡単な構成で除湿室４を形成することができるので容易に製造することができ生産性に優れる。
（６）除湿室４の上部の開口部は蓋１２が仕切体３の上端部に密接して塞ぐように形成されているので、除湿室４の上部が開口しており、除湿体４ａを柩本体２の側面部２ａと仕切体３の間に落とし込んで容易に配設することができ生産性に優れる。
（７）仕切体３が柩本体２の長辺側の側面部２ａの長手方向に沿って形成されており、さらに除湿室４の開口幅が５〜５０ｍｍ好ましくは１０〜３０ｍｍに形成されているので、除湿体４ａを除湿室４内に配設し易く作業性に優れるとともに、適量の除湿体４ａを収納することができ除湿性能に優れ、さらに遺体等を収容する収容室４ｂのスペースを十分に確保することができる。
（８）仕切体３の上端部が柩本体２の側面部２ａの上端部と略同一の高さに形成されているので、柩本体２に蓋１２を被せることによって蓋１２と仕切体３の上端部が密接し除湿室４を密閉することができ、除湿室導入孔９から除湿室４に導入された冷風が除湿室４から漏洩するのを防止することができる。
（９）冷風排出孔１０が除湿室導入孔９と離間して形成されているので、除湿室導入孔９から除湿室４に導入された冷風を除湿室４の全体に循環して、空気が除湿室４内で滞留するのを防止して水分を効率良く除去することができる。
（１０）供給側蓋部６ａや排出側蓋部１１ａの閉止手段を有しているので、柩１を斎場等から移動させるときには冷風供給孔５及び冷風排出孔１０を閉止して柩１内の臭気が外部に漏洩するのを防止することができる。
【００３８】
なお、本実施の形態においては、略円形状の冷風導入孔が１個、略円形状の除湿室導入孔が２個形成された場合について説明したが、冷風導入孔、除湿室導入孔の数、配置、形状、大きさ等は、必要に応じて適宜調整することができる。例えば、冷風導入孔、除湿室導入孔を同数配置したり、大きさを異ならせて配置する場合もある。特に、除湿室導入孔の内径を小さく形成したりスリット状等に形成することで、除湿室導入孔から除湿室に導入された冷風を除湿室内で断熱膨張させて水蒸気を液化して除湿効率を高めることができる。また、柩本体内の冷風の流れが均一化できるように各々の位置を設定することができる。
【００３９】
（実施の形態２）
図３（ａ）は本発明の実施の形態２における柩の要部断面図である。なお、実施の形態１で説明したものと同様のものは、同じ符号を付して説明を省略する。
１ａは実施の形態２における柩、１６は一辺が柩本体２の側面部２ａの上端部に固設され除湿室４を覆設する布等で形成されたシート状体、１６ａは側面部２ａの上端部に形成されシート状体１６の端部が固着されたシート状体固着部、１６ｂは冷風導入孔８や図示しない除湿室導入孔９の位置に相当するシート状体１６の所定部が通気性の高い不織布やガーゼ等で形成された通風部である。
以上のように構成された実施の形態２の柩が実施の形態１と異なる点は、除湿室４を覆設するシート状体を備えている点である。
実施の形態２の柩の使用方法は、実施の形態１で説明したのと同様のものなので説明を省略する。
【００４０】
以上のように実施の形態２の柩は構成されているので、実施の形態１に記載の作用に加え、以下のような作用が得られる。
（１）除湿室４がシート状体１６で覆設されているので、参列者等に違和感を与えることなく葬儀等にふさわしい雰囲気を維持することができる。
（２）少なくとも冷風導入孔８や除湿室導入孔９の位置に相当するシート状体１６の所定部に通気性の高い不織布やガーゼ等からなる通風部１６ｂを形成しているので、冷風導入孔８や除湿室導入孔９を塞いで冷風の循環を妨げることがなく冷却性と除湿性に優れる。
【００４１】
なお、本実施の形態においては、シート状体１６は少なくとも冷風導入孔８や図示しない除湿室導入孔９の位置に相当する部分に、通気性の高い不織布やガーゼ等からなる通風部１６ｂを形成しているが、冷風導入孔８や除湿室導入孔９の周囲の仕切体３にスペーサー等を突設して仕切体３とシート状体１６との間に隙間を設け、冷風導入孔８や除湿室導入孔が塞がれて冷風が循環し難くなるのを防止することもできる。
【００４２】
実施の形態１及び実施の形態２においては、柩本体２に蓋１２を被せることによって蓋１２と仕切体３の上端部が密接し除湿室４を密閉することができる場合について説明したが、除湿室４を閉塞する除湿室蓋部を蓋１２とは別に設けた変形例について説明する。
図３（ｂ）は本発明の実施の形態２の変形例における柩の要部断面図である。なお、実施の形態２で説明したものと同様のものは、同じ符号を付して説明を省略する。
図中、１６ｃは仕切体３及び側面部２ａの上端部の縁部に長手方向と略平行して切欠された嵌合部、１６ｄは嵌合部１６ｃ，１６ｃに両側が嵌合されて除湿室４を閉塞する除湿室蓋部である。
【００４３】
以上のように本実施の形態における柩は構成されているので、除湿室蓋部１６ｄで除湿室４を閉塞することができ、仕切体３の上端部までの高さや蓋１２と仕切体３の上端部との間隔等を考慮せず、自由に仕切体３や蓋１２の設計を行うことができ自在性に優れるという作用が得られる。
なお、本実施の形態においては、仕切体３と側面部２ａとが同一の高さで形成された場合について説明したが、仕切体３を側面部２ａよりも低い高さに形成する場合もある。この場合は、仕切体３の上端部と側面部２ａの側面にそれぞれ嵌合部を形成して、嵌合部間に除湿室蓋部の両側を嵌め込むようにする。
また、シート状体１６は適宜配設することができる。必要のない場合は、シート状体１６を配設しなくてもよい。
【００４４】
（実施の形態３）
図４（ａ）は本発明の実施の形態３における柩の要部平面図であり、図４（ｂ）は図４（ａ）のＢ−Ｂ線における要部断面図である。なお、実施の形態１で説明したものと同様のものは、同じ符号を付して説明を省略する。
１ｂは実施の形態３における柩、１７は平面形状が略長方形の箱状に形成され柩本体２の側面部２ａの所定部に固着された仕切体、１８は仕切体１７によって柩本体２を区画して形成され内部に塩化カルシウムやシリカゲル等の除湿体（図示しない）が配設される中空の除湿室、１９は冷風供給孔５と反対側の仕切体１７の上端面の所定部に開口する略矩形状に形成された除湿室導入孔、１９ａは柩本体２内の側面部２ａ，２ｃ及び収容室４ｂ側の仕切体１７に配設固定された吸着剤配置部である。
ここで、本実施の形態においては、吸着剤配置部１９ａは通気性を有する複数枚の布状体を重ねて所定の形状に区画して上部側に開口部が形成された複数の連なった袋状体で形成されており、上部側の開口部から粒状や粉状等に形成されたゼオライト，多孔質粘土，活性炭等の吸着剤が充填されて内部に収納されている。
以上のように構成された実施の形態３の柩１ｂが実施の形態１と異なる点は、除湿室４を貫通する冷風供給管を有していない点、側面部２ａに固着された箱状の仕切体１７によって中空の除湿室１８が形成されている点、吸着剤が収納された吸着剤配置部１９ａが収容室４ｂの内側に配設固定されている点である。
実施の形態３の柩の使用方法は、実施の形態１で説明したのと同様のものなので説明を省略する。
【００４５】
以上のように実施の形態３の柩は構成されているので、実施の形態１の（２）乃至（３）及び（８）に記載の作用に加え、以下のような作用が得られる。
（１）側面部２ａの上部側に形成された冷風供給孔５と除湿室１８の上端部に形成された除湿室導入孔１９とを有しているので、冷風供給孔５から供給された冷風が除湿室導入孔から除湿室１８へ導入されるため、冷風がショートパスを起こし難いので、遺体から発生するガス等に含まれる水蒸気を除湿室１８内に導いて柩１ｂ内の水分を効率良く除去することができる。
（２）除湿室１８を貫通する冷風供給管を有していないので、構成が簡単で生産性に優れる。
（３）柩１ｂごと焼却されて火葬にふされる際、副葬品に塩化ビニル樹脂等の塩素含有合成樹脂が用いられている場合等にダイオキシン類が発生するおそれがあるが、柩本体２内に吸着剤が配置された吸着剤配置部１９ａが配設されているので、焼却時に発生する燃焼排ガス等の中のダイオキシン類を吸着剤が吸着し環境保全性に優れる。
（４）柩本体２内に吸着剤が配置された吸着剤配置部１９ａが配設固定されているので、遺体から発生する臭気を吸着し柩１ｂ内の臭気を減少させることができる。
（５）吸着剤配置部１９ａが収容室４ｂに配設されているので、遺体や副葬品の傍らに配置することができ、焼却時にダイオキシン類や臭気が発生する傍らから吸着させることができる。また、吸着剤が、通気性を有する複数枚の布状体を重ねて所定の形状に区画して形成された複数の連なった袋状体で形成された吸着剤配置部１９ａに収納されて配置されているので、吸着剤配置部１９ａの厚さを厚くすることなく吸着剤を多量に柩本体２内に配置させることができ、脱臭効率等を高めることができる。
（６）通気性を有する袋状体で形成された吸着剤配置部１９ａが、粒状や粒状等に形成されたゼオライト，活性炭等の吸着剤を収容しているので、吸着剤の表面積を大きくすることができ吸着能を高めることができる。
【００４６】
実施の形態３においては、収容室４ｂの内側に吸着剤配置部１９ａが配設され吸着剤が配置された場合について説明したが、除湿室１８内に吸着剤配置部を配置する場合もある。この場合は、遺体から発生する臭気を除湿室内に導いて柩内の臭気を効率良く除去することができ快適性に優れる。
また、収容室４ｂの内側に予め吸着剤配置部１９ａが配設され、吸着剤を後から充填する場合について説明したが、柩とは別途に吸着剤が収納された吸着剤収納部を作成しておき、これを除湿室１８内、柩本体２内の側面部２ａ，２ｃ、柩本体２の底部２ｂの所定部に配設することもできる。これにより、柩の生産性や柩内に遺体等を安置するときの作業性を高めることができる。
【００４７】
（実施の形態４）
図５（ａ）は本発明の実施の形態４における柩の要部平面図であり、図５（ｂ）は図５（ａ）のＣ−Ｃ線における要部断面図である。なお、実施の形態１で説明したものと同様のものは、同じ符号を付して説明を省略する。
図中、１ｃは実施の形態４における柩、５´は冷風排出孔１０と近接して長辺側の側面部２ａの下部側に形成された冷風供給孔、６´は冷風供給孔５´に固着された供給側ジョイント部、２０は柩本体２の長辺側の側面部２ａ，短辺側の側面部２ｃの内側に各々所定間隔をあけて配設され上端部が側面部２ａ，２ｃの上端部と略同一の高さに形成された略矩形状の内枠状の仕切体である。仕切体２０と柩本体２の側面部２ａ，２ｃとの間にシリカゲル等の除湿体（図示しない）が配設される中空の除湿室４が形成され、仕切体２０の内側に遺体や副葬品が収容される収容室４ｂが形成される。２１は冷風供給孔５´と連通する冷風導入孔８に接続されたフレキシブル管製等の冷風管、２２は冷風供給管１４と冷風排出管１５をともに被覆し一体にする合成樹脂製等の通気管被覆部である。
なお、実施の形態４においては、除湿室４の開口幅（仕切体２０と側面部２ａ，２ｃとの隙間の大きさ）は、実施の形態１と同様に５〜５０ｍｍ好ましくは１０〜３０ｍｍに形成されている。
以上のように構成された実施の形態４の柩１ｃが実施の形態１と異なる点は、枠状に形成された仕切体２０によって除湿室４が柩本体２の側面部２ａ，２ｃの内側に形成されている点、冷風供給孔５´と連通する冷風管２１が柩本体２の収容室４ｂ内に配設されている点、冷風供給孔５´が冷風排出孔１０と近接して形成されており冷風供給管１４と冷風排出管１５をともに被覆し一体にする通気管被覆部２２を有している点である。
実施の形態４の柩の使用方法は、実施の形態１で説明したのと同様のものなので説明を省略する。
【００４８】
以上のように実施の形態４の柩は構成されているので、実施の形態１に記載の作用に加え、以下のような作用が得られる。
（１）枠状に形成された仕切体２０によって除湿室４が柩本体２の側面部２ａの内側全てに形成されているので、二重壁構造が形成され除湿室４内の空気によって断熱性が向上し省エネルギー性に優れる。また、結露が柩本体２の側面部２ａ，２ｃに発生するのを抑制することができる。
（２）冷風管２１が柩本体２内に配設されているので、冷風管２１を用いて任意の場所から冷風を発生させることができ、例えば冷風管２１を遺体を覆う布団の中に導入して遺体の脚部の方から冷風を供給するようにすると、布団に覆われた遺体を効率良く冷却することができるとともに布団の胸元からガスや臭気を排出し易く、排出されたガス等が直ちに除湿室４内に導入されるようにすることで冷風の循環効率を高め冷却効率を高めることができる。
（３）冷風供給孔５´が冷風排出孔１０と近接して形成されているので、通気管被覆部２２で一体に被覆された冷風供給管１４と冷風排出管１５を一回の着脱動作で冷風供給孔５´と冷風排出孔１０への接続・取り外しができ作業性に優れる。
【００４９】
図６は本発明の実施の形態４の変形例における柩の要部平面図である。
図中、１ｄは実施の形態４の変形例における柩、５ａは柩本体２の側面部２ａに形成され外部から供給される冷風を柩本体２内に取り込む冷風供給孔、１０ａは冷風供給孔５ａの周囲の側面部２ａに形成された冷風排出孔である。冷風供給孔５ａと冷風排出孔１０ａは冷風供給孔５ａを内側に冷風排出孔１０ａを外側に配設した２重管等で形成されている。２３は冷風供給孔５ａ及び冷風排出孔１０ａに固着され冷風発生装置１３に接続された冷風供給管１４ａ及び冷風排出管１５ａと接続されるジョイント部である。冷風供給管１４ａと冷風排出管１５ａは、冷風供給管１４ａを内側に冷風排出管１５ａを外側に配設した２重管等で一体に形成されている。
【００５０】
以上のように本実施の形態における柩は構成されているので、冷風排出孔と冷風排出管との接続、冷風供給孔と冷風供給管との接続を別々に行わなくても、２重管等で一体に形成された冷風供給管１４ａ及び冷風排出管１５ａとジョイント部２３との１回の接続動作で、冷風排出孔１０ａ及び冷風供給孔５ａと冷風供給管１４ａ及び冷風排出管１５ａとの接続を行うことができ、作業性に優れる。
【産業上の利用可能性】
【００５１】
本発明は、斎場や家庭の祭壇、病院の遺体安置室等で用いられる柩に関し、凝縮器等を備えた高性能の冷風発生装置を要さず、柩内の水分を効率良く除去することができるとともに除湿能力に優れ水分による遺体の変性を抑制し長期間安置できる柩を提供することができる。
【図面の簡単な説明】
【００５２】
【図１】（ａ）実施の形態１における柩の要部平面図  （ｂ）図１（ａ）のＡ−Ａ線における要部断面図
【図２】実施の形態１における柩を冷風発生装置に接続した場合の冷風の流れを模式的に示した平面図
【図３】（ａ）実施の形態２における柩の要部断面図  （ｂ）実施の形態２の変形例における柩の要部断面図
【図４】（ａ）実施の形態３における柩の要部平面図  （ｂ）図４（ａ）のＢ−Ｂ線における要部断面図
【図５】（ａ）実施の形態４における柩の要部平面図  （ｂ）図５（ａ）のＣ−Ｃ線における要部断面図
【図６】実施の形態４の変形例における柩の要部平面図
【符号の説明】
【００５３】
１，１ａ，１ｂ，１ｃ，１ｄ  柩
２  柩本体
２ａ  長辺側の側面部
２ｂ  底部
２ｃ  短辺側の側面部
３  仕切体
４  除湿室
４ａ  除湿体
４ｂ  収容室
５，５´，５ａ  冷風供給孔
６，６´  供給側ジョイント部
６ａ  供給側蓋部
７  冷風供給管
８  冷風導入孔
９  除湿室導入孔
１０，１０ａ  冷風排出孔
１１  排出側ジョイント部
１１ａ  排出側蓋部
１２  蓋
１３  冷風発生装置
１４，１４ａ  冷風供給管
１５，１５ａ  冷風排出管
１６  シート状体
１６ａ  シート状体固着部
１６ｂ  通風部
１６ｃ  嵌合部
１６ｄ  除湿室蓋部
１７  仕切体
１８  除湿室
１９  除湿室導入孔
１９ａ  吸着剤配置部
２０  仕切体
２１  冷風管
２２  通気管被覆部
２３  ジョイント部
【図１】
2005152320.tif 000003
【図２】
2005152320.tif 000004
【図３】
2005152320.tif 000005
【図４】
2005152320.tif 000006
【図５】
2005152320.tif 000007
【図６】
2005152320.tif 000008